(57)【要約】【課題】製氷時間を短くすることができる製氷皿を提供することを目的とする。【解決手段】セル１２内に一時的に水を蓄え、この水が冷却されて氷を生成する製氷皿において、製氷皿１１に熱伝導性の高い材料から成る板状のフィン１５を多数設けるとともに、このフィン１５は冷気の流れる方向とほぼ平行になるように並べて配置されたものであり、製氷皿１１の外表面積を拡大することができるため、冷気との熱交換が促進されることによって短時間で水が凍結して氷を生成することができる。【選択図】図１
2005180794.tif 000002
【特許請求の範囲】
【請求項１】
一時的に水を蓄え、冷却されて氷を生成する製氷皿において、前記製氷皿に板状のフィンを設け、前記フィンは冷気の流れる方向とほぼ平行に設置されたことを特徴とする製氷皿。
【請求項２】
一時的に水を蓄え、冷却されて氷を生成する製氷皿において、前記製氷皿に板状のフィンを設け、前記フィンのもっとも面積の大きい面は前記製氷皿の長軸方向とほぼ直角になるように配置されたことを特徴とする製氷皿。
【請求項３】
前記フィンに冷気の流れに開口した多数の切り起こしを設けたことを特徴とする請求項１又は請求項２に記載の製氷皿。
【請求項４】
前記板状のフィンにスリットを設けたことを特徴とする請求項１又は請求項２に記載の製氷皿。
【請求項５】
一時的に水を蓄え、冷却されて氷を生成する製氷皿において、前記製氷皿に櫛状のフィンを設けたことを特徴とする製氷皿。
【請求項６】
前記櫛状のフィンの形状を尖塔状にしたことを特徴とする請求項５に記載の製氷皿。
【請求項７】
前記櫛状のフィンの形状を針状にしたことを特徴とする請求項５に記載の製氷皿。
【発明の詳細な説明】
【技術分野】
【０００１】
本発明は冷凍冷蔵庫等の冷凍室に配置され、給水後冷却されて氷を生成する製氷皿に関するものである。
【背景技術】
【０００２】
従来、冷凍冷蔵庫の冷凍室に配置される製氷皿は、全体をアルミニウムで形成されたもの（例えば、特許文献１参照）が利用されている。
【０００３】
以下、図面を参照しながら上記従来の製氷皿について説明する。
【０００４】
図４は従来の冷凍冷蔵庫に使用されているアルミニウム合金で形成された製氷皿を示す斜視図である。
【０００５】
図４において、製氷皿１は熱伝導性の高い金属であるアルミニウム合金で形成されている。製氷皿１は水を一時的にとどめる複数のセル２から成り、隣接するセル２同士は溝３でつながっている。
【０００６】
以上のように構成された製氷皿について、以下その動作を説明する。
【０００７】
製氷皿１に給水すると水はセル２の溝３を経て全体に広がり全てのセル２に水が満たされる。１つのセル２には約１５ｍｌの水が入るので、セル２が７個からなる製氷皿１では約１０５ｍｌの水を供給すればよい。
【０００８】
製氷皿１に供給された水は、水面からの熱伝達、製氷皿１の壁面からの熱伝導、輻射によって放熱され徐々に温度を下げていき、最終的に凍結し氷を生成することとなる。
【特許文献１】特開２００１−２７１１４６号公報
【発明の開示】
【発明が解決しようとする課題】
【０００９】
しかしながら、すべてがアルミニウム合金からなる製氷皿１は、製氷時間は約５０分程度で速いが、樹脂製の製氷皿に比べて高価なことを考えれば、更に製氷時間を速くして、消費者にお得感を提供する必要がある。
【００１０】
本発明は上記課題に鑑み、製氷時間がさらに短くなる製氷皿を提供することを目的とする。
【課題を解決するための手段】
【００１１】
本発明の製氷皿は、一時的に水を蓄え、冷却されて氷を生成する製氷皿において、前記製氷皿に板状のフィンを設け、前記フィンは冷気の流れる方向とほぼ平行になるように配置されたものであり、これによって製氷皿に多数のフィンを配置することができ、製氷皿の周囲にある冷気と熱交換する表面積が拡大するので、熱交換が促進され、短時間で水が凍結する。
【発明の効果】
【００１２】
製氷皿に形成されたフィンによって、製氷皿内の水の熱量は外部へ効率よく放熱され短時間で凍結するので、製氷時間が短縮され結果的に製氷量が増加する。
【００１３】
逆に製氷量を同等にして製氷皿を小型にすることもできる。
【発明を実施するための最良の形態】
【００１４】
本発明の請求項１に記載の発明は、一時的に水を蓄え、冷却されて氷を生成する製氷皿において、前記製氷皿に板状のフィンを設け、前記フィンは冷気の流れる方向とほぼ平行になるように配置されたものであり、製氷皿の外表面積が拡大し冷気との熱交換が促進され、短時間で水が凍結する。
【００１５】
本発明の請求項２に記載の発明は、一時的に水を蓄え、冷却されて氷を生成する製氷皿において、前記製氷皿に板状のフィンを設け、前記フィンのもっとも面積の大きい面は前記製氷皿の長軸方向とほぼ直角になるように配置されたものであり、製氷皿の外表面積が拡大し冷気との熱交換が促進され、短時間で水が凍結する。
【００１６】
本発明の請求項３に記載の発明は、請求項１および請求項２に記載の発明において、
前記フィンに冷気の流れに開口した多数の切り起こしを設けたものであり、乱流促進、前縁効果により、冷気との熱交換が促進され、短時間で水が凍結する。
【００１７】
本発明の請求項４に記載の発明は、請求項１および請求項２に記載の発明において、前記板状のフィンにスリットを設けたものであり、熱伝達が活発に行われるエッジ部が増えることで、冷気との熱交換が促進され、短時間で水が凍結する。
【００１８】
本発明の請求項５に記載の発明は、一時的に水を蓄え、冷却されて氷を生成する製氷皿において、前記製氷皿に櫛状のフィンを設けたものであり、狭い領域でも表面積を確保でき、冷気との熱交換が促進され短時間で水が凍結する。また、板状のフィンに比べて冷気の流れ方向の影響を受け難い。
【００１９】
本発明の請求項６に記載の発明は、請求項５に記載の発明において、前記櫛状のフィンの形状を尖塔状にしたものであり、フィンの表面積を確保しつつ体積を減少させることができるので、軽量化が図れる。
【００２０】
本発明の請求項７に記載の発明は、請求項５に記載の発明において、前記櫛状のフィンの形状を針状にしたものであり、フィンの表面積を確保しつつ体積を減少させることができるので、軽量化が図れる。
【００２１】
以下、本発明による製氷皿の実施の形態について、図面を参照しながら説明する。なお、この実施の形態によってこの発明が限定されるものではない。
【００２２】
（実施の形態１）
図１は、本発明の実施の形態１による製氷皿の斜視図である。
【００２３】
図１において、製氷皿１１は、水を一時的にとどめる複数の半円状のセル１２からなり、隣り合うセル１２の側壁には、お互いに水の出入りが可能な溝１３が設けられている。
【００２４】
本実施の形態では７個のセル１２を１列に配置したものであり、各セル１２は放熱性を向上させるために熱伝導性の高いアルミニウム合金製のトレイ１４から成り、トレイ１４には複数のフィン１５を設けている。
【００２５】
フィン１５は、板状で、最も面積の大きい面がトレイ１４の長軸方向とほぼ直角になるように一体で設置されている。このため、熱移動がもっとも活発に行われるエッジ１５ａの数量は、「フィンをトレイ１４の長軸方向とほぼ平行に配置したもの」に比べて格段に増加し、冷気との熱交換が促進される。
【００２６】
なお、フィン１５の最も面積の大きい面とトレイ１４の長軸方向との配置角度は、厳密に直角でなくても、フィン１５の最も面積の大きい面を含む平面がトレイ１４の長軸方向と交差するように配置しても、フィン数は「フィンをトレイ１４の長軸方向とほぼ平行に配置したもの」に比べて格段に増加し、冷気との熱交換が促進される。
【００２７】
本実施の形態では、製氷皿１１全体をアルミニウム合金で形成しているが、軽量化のためトレイ１４以外の領域である枠１６、取付アーム１７を可塑性樹脂で形成しても良い。
【００２８】
製氷皿１１の所定のセル１２に水を供給すると、水はセル１２の溝１３を通って隣接するセルへと流れていき全てのセル１２に水がいきわたる。本実施の形態では一つのセル１２に１５ｍｌの水が入るように１０５ｍｌの水が供給される。
【００２９】
製氷皿１１に供給された水は、トレイ１４及び水面から放熱し、徐々に温度を下げていく。とりわけ、トレイ１４からはフィン１５の効果で水の冷却が促進され、短時間で製氷を完了する。
【００３０】
尚、フィン１５には、冷気の流れに開口した多数の切り起こしを設けたことことにより、切り起こしによる乱流促進、前縁効果を増大させ、熱交換が促進され、短時間で製氷を完了する。
【００３１】
（実施の形態２）
図２は、本発明の実施の形態２による製氷皿の斜視図である。実施の形態１とはフィン部の形状が異なるものであり、フィン部以外は実施の形態１と同じ符号を用い、詳細な説明は省略する。
【００３２】
フィン２５は、板状のフィンをスリット２４により多数に分割し櫛状にしたものであり、熱移動がもっとも活発に行われるエッジ２５ａを増加させることができるので、トレイ１４と冷気との熱交換が促進され、短時間で製氷を完了する。
【００３３】
（実施の形態３）
図３は、本発明の実施の形態３による製氷皿のフィンを示す正面図であり、フィン３５の形状を、先端にいくほど細くなる尖塔状にすることで、熱交換性能を損なわずに体積を減少させることができ、材料費の削減を図ることもできる。
【００３４】
もちろん、尖塔状以外でも、例えば針状でも同様の効果が得られる。
【産業上の利用可能性】
【００３５】
以上のように、本発明の製氷皿は、冷気との熱交換が活発に行われるので製氷時間の短縮化が可能となり、冷凍冷蔵庫用の製氷皿として適用できる。
【図面の簡単な説明】
【００３６】
【図１】本発明による製氷皿の実施の形態１の斜視図
【図２】本発明による製氷皿の実施の形態２の斜視図
【図３】本発明による製氷皿の実施の形態３のフィンを示す正面図
【図４】アルミニウム合金で形成された従来の製氷皿の斜視図
【符号の説明】
【００３７】
１１    製氷皿
１４    トレイ
１５、２５、３５    フィン
２４    スリット
【図１】
2005180794.tif 000003
【図２】
2005180794.tif 000004
【図３】
2005180794.tif 000005
【図４】
2005180794.tif 000006